Podtech/llm-jp-corpus-v4-ja_patent huggingface dataset:
(57)【要約】【課題】清掃用不織布を、取っ手につけて使用した際、折り返し部分を効率よく簡単に使用できるようにする。【解決手段】清掃用不織布の、使用済み部分１から折り返し部分２を簡単に切り離せるようにミシン目３をいれ、切り取れるようにした。【選択図】  図１
0003123891.tif 000002
【実用新案登録請求の範囲】
【請求項１】
清掃用不織布に取っ手を付けて使用する際、取り付けるための折り返し部分にミシン目を入れることにより、衛生的に効率的な利用を可能にした清掃用不織布
【考案の詳細な説明】
【考案の詳細な説明】
【考案が解決しようとする課題】
【０００１】清掃用不織布を、取っ手につけて利用した後、折り返し部分２が未使用の状態にあるにもかかわらず捨てなければいけないという問題点があった。
【課題を解決するため手段】
【０００２】使用済み部分１と折り返し部分２の間にミシン目３を入れ、未使用の状態にある折り返し部分２を切り取ることができるようにした。
【考案の効果】
【０００３】折り返し部分２を切り取ったものを、清掃に利用できる。
【図面の簡単な説明】
【図１】清掃用不織布の使用済み部分１、折り返し部分２、ミシン目３を説明した平面図である。
【図２】清掃用不織布を取っ手に取り付けた場合の使用済み部分１、折り返し部分２、ミシン目３を説明した側面図である。
【符号の説明】
１  使用済み部分
２  折り返し部分
３  ミシン目
【図１】
0003123891.tif 000003
【図２】
0003123891.tif 000004
【手続補正書】
【提出日】平成16年9月21日(2004.9.21)
【手続補正１】
【補正対象書類名】実用新案登録請求の範囲
【補正対象項目名】全文
【補正方法】変更
【補正の内容】
【実用新案登録請求の範囲】
【請求項１】
清掃用不織布に取っ手をつけて使用する際、取り付けるための折り返し部分にミシン目をいれることにより、衛生的に効率的な利用を可能にした清掃用不織布
【手続補正書】
【提出日】平成17年12月27日(2005.12.27)
【手続補正１】
【補正対象書類名】手続補正書
【補正対象項目名】手続補正２
【補正方法】変更
【補正の内容】
【手続補正２】
【補正対象書類名】図面
【補正対象項目名】図３
【補正方法】追加
【補正の内容】
【図３】
0003123891.tif 000005
【手続補正２】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
【考案の詳細な説明】
【考案が解決しようとする課題】
【０００１】清掃用不織布を、取っ手につけて利用した後、折り返し部分２が未使用の状態にあるにもかかわらず捨てなければいけないという問題点があった。
【課題を解決するための手段】
【０００２】使用済み部分１と折り返し部分２の間にミシン目３を入れ、未使用の状態にある折り返し部分２を切り取ることができるようにした。
【考案の効果】
【０００３】折り返し部分２を切り取ったものを、清掃に利用できる。
【図面の簡単な説明】
【図１】清掃用不織布の使用済み部分１、折り返し部分２、ミシン目３を説明した平面図である。
【図２】清掃用不織布を取っ手に取り付けた場合の使用済み部分１、折り返し部分２、ミシン目３を説明した側面図である。
【図３】本考案の平面図である。
【符号の説明】
１  使用済み部分
２  折り返し部分
３  ミシン目
(57)【要約】【課題】ゴムを１本通す形状は、シュシュが髪より滑りやすく特に何回か使用するとゴムが伸びきった。【解決手段】ゴムを両端に通す。使用する布の大きさ、材料を変化させて、多目的に使用する。【選択図】図１
0003123902.tif 000002
【実用新案登録請求の範囲】
【請求項１】
両端にゴム通しを設けた事を特徴とするシュシュ。
【請求項２】
使用する布の大きさ、材料によって多目的用途に適用する事ができる。
【考案の詳細な説明】
【技術分野】
【０００１】この考案は、髪を結う時に用いるシュシュの形状に関する。
【技術背景】
【０００２】従来のシュシュの形状は、図２に示すようにシュシュの本体の１の中央、もしくは片側にゴムが設けられたものである。
【考案の開示】
【考案が解決しようとする課題】
【０００３】しかしながら、以上の技術によれば、シュシュが髪より滑りやすく、ゴムがすぐに伸びきってしまいやすかった。
そこで、この考案は、シュシュが髪より滑りにくく、ゴムの持ちがよくなる事を提供する事を課題とする。
【課題を解決するための手段】
【０００４】以上の課題を解決するために、第一考案の一実施形態案はゴム通しを両端に設けた事を特徴とするシュシュである。また、第二考案は、幅や長さ・材料の種類に変化をもたせる事により、多目的用途に適用する事を特徴とする。
【考案の効果】
【０００５】第一考案、または第二考案によれば、シュシュは髪より滑り落ちる事もなく二重のゴムで長期使用が可能となる。また幅・長さ・材料の種類・組み合わせによりシュシュを想定しているが、コサージュ等ファッション関係に幅広く使用できる。
【考案を実施するための最良の形態】
【０００６】この考案の一実施形態を図１に示す。
シュシュの本体は布・革・毛皮・合成皮革等であり、この本体を筒状にし両端にゴムを通す。【０００７】「実施形態の効果」
この実施形態によれば、髪の結び目のゴムが二重になるので、滑りにくい。したがって長時間、髪がくずれにくく美しさを保つ事ができる。また二重になっているためゴムが長持ちする。【０００８】「他の実施形態」
図１の実施形態ではシュシュを想定しているが、他の実施形態では、幅や長さ、材料を変えることにより、コサージュ等ファッション関係に使用できる。
【図面の簡単な説明】
【０００９】
【図１】この考案の一実施形態を示す平面図である。
【図２】従来技術を示す平面図である。
【符号の説明】
【００１０】１  ゴムひもを通す部分
２  縫い合わせて筒状にする部分
【図１】
0003123902.tif 000003
【図２】
0003123902.tif 000004
【手続補正書】
【提出日】平成18年4月27日(2006.4.27)
【手続補正１】
【補正対象書類名】実用新案登録請求の範囲
【補正対象項目名】全文
【補正方法】変更
【補正の内容】
【実用新案登録請求の範囲】
【請求項１】
両端にゴム通しを設けた事を特徴とするシュシュ。
(57)【要約】      （修正有）【課題】文房具（鉛筆、消しゴム、定規、クリップ等）や小さなマークや幾何学模様が描かれているシートで、教科書・参考書のページを覆い、簡便に容易に、音読練習や穴埋め問題（クローズ・テスト）の練習をする。【解決手段】無色透明もしくは色つきの透明で、下敷きのようなプラスチック製シート上に、文房具や小さなマークや幾何学模様を写していたり、描いていることを特徴としたものであり、硬いものでも、しなる位柔らかいものでもよい。それを、教科書・参考書等のページの上を覆うことで、教科書・参考書の文章（英文を含む）が記憶できているか、また、隠された文字を文脈から推測しながら読むことができるか確認しながら能動的な読みができ、移動中の電車内等でも簡単に利用できるものである。【選択図】図１
0003123910.tif 000002
【実用新案登録請求の範囲】
【請求項１】
無色透明もしくは色つきの透明で下敷きのようなプラスチック製シート上に、文房具（鉛筆、消しゴム、定規、クリップ等）や小さなマークや幾何学模様を写されていたり、描かれていることを特徴としたシートである。シートは、硬いものでも、しなる位柔らかいものでもよい。
【考案の詳細な説明】
【技術分野】
【０００１】  本考案は、音読練習・穴埋め問題対策をするために、文房具（鉛筆、消しゴム、定規、クリップ等）や小さなマークや幾何学模様が写った（描かれた）無色透明もしくは色つきの透明プラスチック製シートに関するものである。
【背景技術】
【０００２】  音読の練習は、単に繰り返し教科書・参考書等を読むだけ、また、穴埋め問題（クローズ・テスト）は手間をかけて作成する必要があった。
【考案の開示】
【考案が解決しようとする課題】
【０００３】  音読の練習は、単に繰り返し教科書・参考書等を読むだけで受動的であった。また、ワープロや修正液を使用しても、穴埋め問題（クローズ・テスト）を作成するには手間と時間がかかった。ペンで重要語句に色を塗り、色つきの半透明シートを被せて文字を隠す製品もあるが、重要語句をペンで塗るのに時間を要し、さらに、その半透明シートの色が濃く、暗いところではシートの下の文字が見づらい。そこで、文房具の写真や絵や幾何学模様等がプリントされた無色透明もしくは色つきの透明プラスチック製シートを考案し、このシートで教科書・参考書のページを覆うことによって、教科書・参考書の文章（英文を含む）が記憶できているか、隠された文字を文脈から推測しながら読むことができるか確認しながら簡便・容易に能動的な読みができるようにした。また、このシートを使用すれば、重要語句だけを隠すことはできないにしても、例えば、移動中の電車内でも簡単に、穴埋め問題（クローズ・テスト）に類似したものを作り・解くことができ、前述の欠点を解決しようとするものである。
【課題を解決するための手段】
【０００４】  本考案は、無色透明もしくは色つきの透明で下敷きのようなプラスチック製シート上に、文房具（鉛筆、消しゴム、定規、クリップ等）や小さなマークや幾何学模様を写していたり、描いていることを特徴としたものであり、硬いものでも、しなる位柔らかいものでもよい。このシートで教科書・参考書等のページの上を覆うことで、教科書・参考書の文章（英文を含む）が記憶できているか、また、隠された文字を文脈から推測しながら読むことができるかを確認しながら能動的な読みをすることで、問題点を解決している。
【考案の効果】
【０００５】  上述の様に、本考案の文房具等が写った（描かれた）音読練習用・穴埋め問題対策用学習透明シートは、手軽に音読練習・穴埋め問題対策ができる点が有効であることは勿論、シートは下敷き代わり、栞代わりともなり、学習の補助となる。
【考案を実施するための最良の形態】
【０００６】  無色透明もしくは色つきの透明で下敷きのようなプラスチック製シート上に、文房具（鉛筆、消しゴム、定規、クリップ等）や小さなマークや幾何学模様が写されていたり、描かれている。シートは、硬いものでも、しなる位柔らかいものでもよい。大きさは、文部科学省検定教科書の各種サイズの１ページを覆う位とする。
【実施例】
【０００７】  教科書・参考書のページを、文房具等が写された（描かれた）音読練習用・穴埋め問題対策用学習透明シートで覆うだけでよい。また、透明なシートであるため、シートを複数枚重ねて用いるならば、それによって隠される文字が多くなるため、隠された文字を思い出しながら、また、文脈から判断しながらの能動的音読や、穴埋め問題としての難度も簡単に上げることができる。
【図面の簡単な説明】
【０００８】
【図１】本考案の文房具等が写された（描かれた）音読練習用・穴埋め問題対策用学習透明シートの一実施例を示す正面図である。
【図２】本シートの別の実施例を示す正面図である。
【図１】
0003123910.tif 000003
【図２】
0003123910.tif 000004
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
検定教科書のＡ５版（１４８×２１０ｍｍ）やＢ５版（１８２×２５７ｍｍ）を主たる大きさとし、厚さは学習用下敷のように約０．５ｍｍから数ミリほどとなる無色透明もしくは色つきの透明なシートであり、そのシートの表面に、文房具（鉛筆、消しゴム、定規、クリップ等）や小さなマークや幾何学模様が写されていたり、描かれていることを特徴としたシートである。素材はプラスチックや塩化ビニールなどで、硬いものも、しなる位柔らかいものもある。
(57)【要約】      （修正有）【課題】本考案は、ハンギングバスケットの植物を、雨、雪、霜などの自然災害から保護し、植物の開花や生育を助け装飾の効果を高くする。【解決手段】透明無色な板状のカバー（２）を植物の上部に、ハンギングバスケット吊り具（１）に取り付ける。【選択図】図１
0003123909.tif 000002
【実用新案登録請求の範囲】
【請求項１】
ハンギングバスケットの植物を雨、雪、霜から保護する為に、植物の上部に、傘状に設置するカバー。
【考案の詳細な説明】
【技術分野】
【０００１】ハンギングバスケットの植物を雨、霜、雪から保護する装置。
【技術背景】
【０００２】従来ハンギングバスケットの植物を簡単に保護する装置は見あたらない。
【考案の開示】
【考案が解決しようとする課題】
【０００３】雨、雪、霜などの自然の被害から植物を保護して生育を助け、装飾の効果を高めたい。
【課題を解決するための手段】
【０００４】そこで、美しい草花や、野菜などを保護するために、それらの上部に、雨、霜、雪除けに透明な板状のカバーを取り付ける。
【考案の効果】
【０００５】これにより、梅雨時の過湿による病害や、雪や霜の凍害を軽減し、しかも通気も良く、自然の状態で育てる事が出来、装飾効果が一層高くなる。
又、雨除けカバーの形は、楕円形、円形、長方形、雲形や立体状のデザインにする事で美的にも有意義である。
【考案を実施するための最良の形態】
【０００６】本考案は、図１に示すように、雨除けカバー（２）を、ハンギングバスケットの吊り具（１）に固定するだけで目的が達せられ大変簡単である。
【図面の簡単な説明】
【０００７】
【図１】本考案の雨除けカバー２をハンギングバスケット吊り具（１）に装着した図である。
【符号の説明】
【０００８】（１）ハンギングバスケット吊り具
（２）ハンギングバスケット雨除けカバー
（３）ハンギングバスケット
【図１】
0003123909.tif 000003
【手続補正書】
【提出日】平成18年4月20日(2006.4.20)
【手続補正１】
【補正対象書類名】実用新案登録請求の範囲
【補正対象項目名】全文
【補正方法】変更
【補正の内容】
【実用新案登録請求の範囲】
【請求項１】
ハンギングバスケットの植物を雨、雪、霜から保護する為に、植物の上部に、板状の物をカバーとして、傘状に取り付ける。
カバーの固定方法として、紐吊り具の場合は、上下の結び目で固定し、鎖吊り具の場合は、上下をリング（座金）と割ピンで固定する装置。
【手続補正２】
【補正対象書類名】明細書
【補正対象項目名】全文
【補正方法】変更
【補正の内容】
【考案の詳細な説明】
【技術分野】
【０００１】ハンギングバスケットの植物を雨、霜、雪から保護する装置。
【技術背景】
【０００２】従来ハンギングバスケットの植物を簡単に保護する装置は見あたらない。
【考案の開示】
【考案が解決しようとする課題】
【０００３】雨、雪、霜などの自然の被害から植物を保護して生育を助け、装飾の効果を高めたい。
【課題を解決するための手段】
【０００４】そこで、美しい草花や、野菜などを保護するために、それらの上部に、雨、霜、雪除けに透明な板状のカバーを取り付ける。
【考案の効果】
【０００５】これにより、梅雨時の過湿による病害や、雪や霜の凍害を軽減し、しかも通気も良く、自然の状態で育てる事が出来、装飾効果が一層高くなる。
又、雨除けカバーの形は、楕円形、円形、長方形、雲形や立体状のデザインにする事で美的にも有意義である。
【考案を実施するための最良の形態】
【０００６】本考案は、図１に示すように、雨除けカバー（２）を、ハンギングバスケットの吊り具（１）に図２に示すように、紐吊り具の場合は（４）、鎖吊り具（５）の場合は、割ピン（６）でリング（７）を固定するだけで目的が達せられ大変簡単である。
【図面の簡単な説明】
【０００７】
【図１】本考案の雨除けカバー２をハンギングバスケット吊り具（１）に装着した図である。
【図２】雨除けカバーを、紐吊り具及び鎖吊り具に固定する方法である。
【符号の説明】
【０００８】（１）ハンギングバスケット吊り具
（２）ハンギングバスケット雨除けカバー
（３）ハンギングバスケット
（４）紐製吊り具
（５）鎖製吊り具
（６）割ピン
（７）リング（座金）
【手続補正３】
【補正対象書類名】図面
【補正対象項目名】全図
【補正方法】変更
【補正の内容】
【図１】
0003123909.tif 000004
【図２】
0003123909.tif 000005
(57)【要約】      （修正有）【課題】汗ばむ季節に着物の裾裁きが良いパンティストッキングの提供。【解決手段】本考案は夏に着物を着ると汗で裾が絡みつき歩きにくいので一般的なパンティストッキングの７分丈のものにする。【選択図】図１
0003123901.tif 000002
【実用新案登録請求の範囲】
【請求項１】
七分丈パンティストッキング  （女性用）
夏の着物を着ると汗で絡みつき、裾裁きが悪いために七分丈のパンティストキングマチ付き・通気性を良く・裾丈はずり上がらないようにゴム編みにし、サポートフィットにする。
【請求項２】
七分丈パンティストッキング  （男性用）
夏の着物を着ると汗で絡みつき、裾裁きが悪いために七分丈のパンティストキングマチ付き通気性を良く、裾丈はずり上がらないようにゴム編みにし、サポートフィットにする。
【考案の詳細な説明】
【技術分野】
【０００１】本考案は、七分丈パンティストッキングにする。
材質は市販のパンティストッキング地、ナイロン・ポリウレタンとする。
肌触りをさらっとつるつるにする。
【背景技術】
【０００２】夏に着物を着て出かけた時、汗で裾裁きが悪かったので市販のパンティストッキングをくるぶしから先を切取り放し試着してみたところ不快感がなく、裾裁きが良かった。
【考案の開示】
【考案が解決しようとする課題】
【０００３】夏に着物を着た時、汗で裾裁きが絡みつき、歩きにくい為に、七分丈のパンティストキングを装着するに当たって着物の裾裁きがスムーズになる。
【課題を解決するための手段】
【０００４】夏は汗防止・冬は保温にも最適。
【考案の効果】
【０００５】夏に着物を着たときに裾裁きが効果が絶大。
素足でジーズン・パンツを履く場合にも最適。
【考案を実施するための最良の形態】
【０００６】夏に着物を着たときに汗で不快感もなく裾裁きがよく着くずれがしないので良い。
素足でジーズン・パンツを履く場合も活用できる。（男性・女性）
【図面の簡単な説明】
【図１】１．マチ付  ２．七分丈
【図１】
0003123901.tif 000003
【手続補正書】
【提出日】平成18年4月28日(2006.4.28)
【手続補正１】
【補正対象書類名】実用新案登録請求の範囲
【補正対象項目名】全部
【補正方法】変更
【補正の内容】
【書類名】実用新案登録請求の範囲
【請求項１】
夏の着物を着ると汗で絡みつき、裾裁きが悪い為、通気性を良く、マチを付け、裾丈はずり上がらないようゴム編みにし、サポートフィットにする七分丈パンティストッキング
【請求項２】
請求項１の記載七分丈パンティストキングにおいて男性用として前をフラットにしたパンティストッキング
(57)【要約】【課題】従来の遠投用コマセカゴを簡単にセツト出きる様にし、確実に目的地にコマセと餌付針を空中で飛散する事の無いようなコマセカゴを製作する。【解決手段】従来の本体心棒を無くし、外側に心棒を付け、カゴとパイプを一体化にし、心棒の中を上下して作業性を良くした。又、容積量も多くし難しい内部構造を無くし、シンプルな構造にし、カゴがセツトする際の空気を利用し空気浮力を採用した。【選択図】図２
0003123907.tif 000002
【実用新案登録請求の範囲】
【請求項１】
従来の収納型でわ無い、遠投用コマセカゴ、
従来はカゴの中心に棒が有り、針や、コマセの邪魔になる、本考案は上カゴが水中に沈下する時に出来る空気圧を利用し上カゴと下カゴが分離し下向きになりコマセや餌付針を散布する、尚、心棒は上カゴの横に固定しパイプでスライドする。
【考案の詳細な説明】
【技術分野】
【０００１】本考案は投釣りのコマセと収納餌付け針を充填遠投し、水中で上カゴの浮力でカゴが分離し散布する簡単な改良カゴです。
【背景技術】
【０００２】従来の餌付け遠投は風圧により、空中で飛散し餌なし針で海中に落下し目的は達成してなかつた。
【考案の開示】
【考案が解決しようとする課題】
【０００３】そこで如何したら遠投により、確実に目的地迄コマセと餌付け針を届ける事が出来るか色々と試作品を考案し図１考えた。
【課題を解決するための手段】
【０００４】本考案は従来の本体仕様の改良で無く、発想を変えカゴの心棒を外側に変え、その中にパイプをとうして、カゴと一体化にし上下の分離が簡単になった。又、上カゴの浮力はオモリで速さを調節した。
【考案の効果】
【０００５】作りが簡単なので遠投后も浮力の力でカゴが分離するので、竿のしゃくりも無く、竿や、道糸にも無理が掛からないし作業性が良くコマセの詰め替えでも手が汚れが少ない。
形状的には当然涙的型にし、風圧抵抗も少なくし、遠投距離も伸びると思います。
只、コマセは形状的に一度で散布するため、少量ずつの散布を今後考えたいと、思います。
又、船釣り、磯釣り、にも使いよいと思います。
【考案を実旋するための最良の形態】
【０００６】本考案の  図１は本体の正面図です。
（３）内カゴに（４）オモリを付け（２）のパイプに固定します。パイプの中の心棒を浮力で上がります。（９）サルカンで浮力は止まります、（４）のオモリで浮力の速さは調節します。（５）下カゴの中に（７）オモリが有り遠投時の安定と分離後（８）サルカン所で回転し落下を促がします。（１０）内側の食い込みが（５）下カゴの中に入り外れを防止します。（５）下カゴの中にコマセと餌付の針を入れ（３）内カゴを食い込ませます。遠投後水中で（３）内カゴの空気が押し上げられて（２）パイプと一諸に上に上がり、食い込みが外れて（５）下カゴが回転落下しコマセと餌付針を散布します。
【図面の簡単な説明】
【０００７】
【図１】本考案による、平面図です、遠投前の状態です。
【図２】一体型を遠投し海中で開いた状態です。
【符号の説明】
【０００８】１      道糸
２      パイプ
３      内カゴ
４      内カゴオモリ
５      外カゴ
６      心棒
７      外カゴオモリ
８      サルカン
９      サルカン
１０    食い込み
【図１】
0003123907.tif 000003
【図２】
0003123907.tif 000004
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
浮力付円筒形の上カゴに同じ円筒形で直計が、やや大きい円筒形の下カゴにオモリを入れコマセと餌付針を入れ、上カゴに被せて遠投し目的地で水中に沈下する時に出来る水中圧力を利用し浮力付円筒形の上カゴが海面に上昇し、オモリ付円筒形下カゴが分離し下カゴが下向きになりコマセや餌付針を散布する、尚、浮力付円筒形上カゴの横に固定したパイプで外付き芯棒をスライドさせ、浮力付円筒形上カゴを上昇させる遠投用コマセカゴ。
(57)【要約】      （修正有）【課題】人が歩く・走る時の履物が脱げ易い不都合を解消する。【解決手段】履物の底部１に足指を掛けることで履物から足が離れにくく、履物の底部２に段差を付けることで裸足と同じ感覚で歩く・走ることができる。この上部と下部の段差により、この課題を解決する。【選択図】図１
0003123905.tif 000002
【実用新案登録請求の範囲】
【請求項１】
足指で履物をつかみ、歩行・走行時に足から履物が離れないように、履物の底の先端部に段差を設けた履物。
【考案の詳細な説明】
【技術分野】
【０００１】  本考案は、スリッパや靴等の履物に関する。
【背景技術】
【０００２】  従来の履物では歩行・走行時に後ろ足で蹴り進む時に、靴紐やマジックテープで締め付けなければ履物が足から脱げ易い。
【考案の開示】
【考案が解決しようとする課題】
【０００３】  日本人は玄関での履物の脱履風習のために靴紐等を使用する人が少ない。その為に歩行・走行時に履物が足に密着しないから、裸足時と同様の歩き方・走り方が出来ない。
【課題を解決するための手段】
【０００４】  そこで、履物の先端を足指でつかめるように段差を付け、同時に足指の腹の部分で蹴り進めるように足底部の先端も段差を付けた。
【考案の効果】
【０００５】  よって、後ろ足で地を蹴る力が充分に発揮できると同時に、蹴る力が強くなるほど足と履物の密着度が高まり、歩行・走行時の歩幅も大きくなるので、歩行も楽になり走行スピードもアップする。
【考案を実施するための最良の形態】
【０００６】  本考案に関わる履物は、図１に示すように、足指で履物の底をつかめるようになっている。足指の末節部（第１関節より先端部）の腹の部分に段差の角が当たることで、足指を曲げた力が履物よりも足を前方へ移動しようとする力になり、その為に足は履物とより深く密着しようとする。履物の底部も上部（履物の中）と同じ位置に段差を付けることにより、足指の力を直接大地に伝えられるから、足指に掛かる力の負担が少なくなる。
【図面の簡単な説明】
【０００７】
【図１】  本考案による靴の断面図である。
【図２】  本考案によるスリッパの断面図である。
【図３】  従来の靴の断面図である。
【符号の説明】
【０００８】  １      履物底上部の角
２      履物底下部の角
３      足指（末節部）の腹部
１０      履物の底部
Ｆ      足
【図１】
0003123905.tif 000003
【図２】
0003123905.tif 000004
【図３】
0003123905.tif 000005
【手続補正書】
【提出日】平成18年4月12日(2006.4.12)
【手続補正１】
【補正対象書類名】明細書
【補正対象項目名】０００２
【補正方法】変更
【補正の内容】
【０００２】  従来の履物では歩行・走行時に後ろ足で蹴り進む時に、靴紐やマジックテープ（登録商標）で締め付けなければ履物が足から脱げ易い。
(57)【要約】【課題】非接触カードリーダをインターフォンに内蔵するようにしたインターフォンを提供することを技術的課題とする。【解決手段】インターフォンに非接触カードリーダを内蔵した構成した【選択図】図１
0003123951.tif 000002
【実用新案登録請求の範囲】
【請求項１】
非接触カードリーダを内蔵したインターフォン。
【考案の詳細な説明】
【考案の詳細な説明】
【技術分野】
【０００１】  本考案は門扉開閉解錠監視システムに使用するインターフォンに関するものである。
【背景技術】
【０００２】従来、例えば特開２００５−２１５９９５公報には簡単な構成で校内の安全を確保できる校舎セキュリティーシステムが提案され、このセキュリティーシステムは学校への出入口となる門に設けられた監視設備と校内の所定の位置に設けられた集中監視設備とからなり、監視設備は監視カメラ付きのインターフォンと門を施解錠可能な電気錠とを含み、集中監視設備は監視カメラの撮影した画像を表示するディスプレイとインターフォン装置と交信可能なスピーカおよびマイクロフォンとカメラの撮影した画像を蓄積する蓄積サーバと、電気錠を遠隔で施解錠する遠隔開閉スイッチとを含み、蓄積サーバの情報はインターネットを介して外部パソコンから閲覧が可能な校舎セキュリティーシステムが記載されている。【０００３】  そして、この発明にけるインターフォンは前記公報の［００１５］に説明されているように、電気錠の外部スイッチは、学校への来訪者が電気錠を開けるために必要なＩＤカード、カードキー等でもよいし、キー部をテンキーで構成し、所定の番号を押すことによって施解錠するものでもよい。また、指紋照合型であってもよい旨記載されている。【０００４】  しかしながら、特に観音開き等の門に置ける施解錠部分は開閉時の衝撃が加わり易くこの様なカードのスイッチ（センシングスイッチ）が衝撃により破損する惧がある。【０００５】  また、カードリーダ位置が門扉部分にありインターフォンから離れているため、カードによる開錠操作とインターフォンによる管理人との会話とを同時に行なうことが出来ない。
【考案が解決しようとする課題】
【０００６】  非接触カードリーダをインターフォンに内蔵するようにしたインターフォンを提供することを技術的課題とする。
【課題を解決する手段】
【０００７】  請求項１の考案は非接触カードリダを内蔵したインターフォンを提供するものである。
【０００８】  この考案においては、施解錠部分は開閉時の衝撃が加わった場合、この様なカード等のスイッチ（センシングスイッチ）が衝撃により破損する惧れがなく、また、カードリーダ位置がインターフォンにあるため、カードによる開錠操作とインターフォンによる管理人との会話とを同時に行なうことが出来る。
【考案を実施するための最良の形態】
【０００９】  以下に本考案の一実施形態を図面に基づき説明する。図１は本考案のインターフォン１の正面図であり、インターフォン１は正面に非接触カードリーダ２マイク３、スピーカ４、呼び出し釦５、動作ランプ６を備えている。【００１０】  図２は門扉開閉解錠監視システムを示すものであり、門扉Ａには電磁式電気錠７が設けられ、門柱８の外部にはインターフォン１が設けられている。また、門扉Ａ近傍を監視する位置に監視カメラ９が設置されている。【００１１】  １１は図３で詳細に説明する校舎内に複数設ける監視施設であり、監視施設１１は前記監視カメラ９の映像を映すモニターテレビ１２と、開錠釦１６、連続開門釦１７、ブザー停止釦１８、開錠表示ランプ２０、開門表示ランプ２１、閉門表示ランプ２２、連続開門表示ランプ２３等が設けられている。【００１２】  図３は門扉開閉解錠監視システム系統図であり、非接触カードリーダ内蔵型インターフォン１は非接触カードにより電磁式電気鍵７を解錠するようにしている。中継ＢＯＸ８は解錠釦２４を内蔵し、内側から電磁式電気鍵７を解錠できるようにしている。【００１３】  監視カメラ９は門周辺の状況を映像としてモニターテレビ１２に写す。門扉センサー１０は門の開閉によりリレー基板１５をかえし開門表示２１のランプを点灯する。モニターテレビ１２は監視カメラ９からの映像を写す。電源装置１３は監視カメラ９、非接触カードリーダ内蔵型インターフォン１、電磁式電気鍵７タイマー基板１４、リレー基板１５等へ電源を供給する。【００１４】  タイマー基板１４はブザーのイムラグの設定を行う。リレー基板１５は解錠釦１６、連続開門釦１７、ブザー停止釦１８、ブザー１９、解錠表示２０、開門表示２１、閉門表示２２、連続開門表示２３等の各動作をコントロールする。インターフォン親器２５は非接触カードリーダ内蔵型インターフォン１と通話できるようにしている。
【考案の効果】
【００１５】  上記の如く本考案においては、非接触カードリーダを内蔵したインターフォンを提供するものであり、施解錠部分は開閉時の衝撃が加わった場合、カードのスイッチ（センシングスイッチ）が衝撃により破損する惧がなく、また、カードリーダ位置がインターフォンにあるため、カードによる開錠操作とインターフォンによる管理人との会話とを同時に行なうことが出来る等の効果がある。
【図面の簡単な説明】
【００１６】
【図１】インターフォンの正面操作麺図
【図２】門扉開閉解錠監視システム
【図３】門扉開閉解錠監視システム系統図
【符号の説明】
１    インターフォン
２    非接触カードリーダ
９    監視カメラ
１２    モニターテレビ
【図１】
0003123951.tif 000003
【図２】
0003123951.tif 000004
【図３】
0003123951.tif 000005
(57)【要約】【課題】  線香等の固形香材を用いての芳香発生を、安全に、かつ、手間をかけることなく行えるようにする。【解決手段】  揮発性燃料のタンク部１０と酸化加熱用バーナ１３とを備え、揮発性燃料の気化ガスが酸化加熱用バーナ１３において酸化加熱される際の発生熱により固形香材３０の芳香物質の気化を促進して芳香を発生させる芳香発生装置。【選択図】図１
0003123953.tif 000002
【実用新案登録請求の範囲】
【請求項１】
揮発性燃料のタンク部と酸化加熱用バーナとを備え、前記揮発性燃料の気化ガスが前記酸化加熱用バーナにおいて酸化加熱される際の発生熱により固形香材の芳香物質の気化を促進して芳香を発生させる芳香発生装置。
【考案の詳細な説明】
【技術分野】
【０００１】  この考案は、線香等の固形香材を用いる芳香発生装置に関する。
【背景技術】
【０００２】  仏前等においては線香が焚かれ、また、最近ではリラックス効果を得るために線香等の固形香材が焚かれるようになっている。しかしながら、固形香材を焚く場合には下記の問題点があった。まず、固形香材を焚いている状態においてはそこに火種が存在しこれが火事の原因となるとともに、煙が発生することで空間の空気を濁し、さらに、固形香材への点火には手間がかかった。これらの点はとくに高齢者とってにおいて大きな問題となり、これが固形香材の使用の妨げとなっていた。
【考案の開示】
【考案が解決しようとする課題】
【０００３】  この考案では、線香等の固形香材の使用が安全に、かつ、手間をかけることなく行えるようにする芳香発生装置を提供する。
【課題を解決するための手段】
【０００４】  この考案では、揮発性燃料のタンク部と酸化加熱用バーナとを備え、前記揮発性燃料の気化ガスが前記酸化加熱用バーナにおいて酸化加熱される際の発生熱により固形香材の芳香物質の気化を促進して芳香を発生させる芳香発生装置を提供する。【０００５】  この芳香発生装置によれば、酸化加熱用バーナにより揮発性燃料の気化ガスの酸化加熱が継続して行われ、これに伴う発生熱により線香等の固形香材は発火することなく高温下で蒸される状態となり、これにより含まれる芳香成分の気化が促進されることにより芳香が発生する。このようにして、線香等の固形香材に火を付けることなく煙の発生を最小限とした芳香の継続的な発生を可能とする。固形香材としては、線香の他にコーン形態、粉末形態等の適宜形態のものが使用可能で、また、香木等も使用できる。
【考案の効果】
【０００６】  この考案の芳香発生装置によれば、火を付けることなく線香等の固形香材から芳香が得られるようになり、これにより、火事の発生の恐れがなく、煙により空気を汚染することなく、さらに、取り扱いを容易にして線香等の固形香材の使用ができるようになるもので、高齢者等にとってとくに便利に用いられる。
【考案を実施するための最良の形態】
【０００７】  図１はこの考案の芳香発生装置の実施形態の斜視図、図２は同断面図である。【０００８】  芳香発生装置１は家庭用のもので小型であり、全体が金属製で、下容器２と、その下容器２内に取り外し可能に内嵌め装着される金網枠体３と、下容器２上に取り外し可能に外嵌め装着されるカバー体５と、非使用時にカバー体５上に装着される蓋７とから構成されている。下容器２内には揮発性燃料オイルのしみ込んだ不織布よりなる芳香燃料片８が納められ、この部分がタンク部１０を構成している。【０００９】  上記揮発性燃料オイルとしては、イソプロピルアルコールもしくはエチルアルコールに少量の割合で植物抽出液を混入したものを用いる。植物抽出液としては、ヒノキ、ヒバ、ユーカリ等の樹木、ラベンダー等の花、オレンジやレモン等の芳香性に優れるものが用いられる。植物抽出液は通常芳香性能とともに消臭性能を発揮し、また、ヒノキ、ヒバ、ユーカリ等は小虫の忌避効果を発揮するもので、とくに、消臭性能によりアルコールの酸化臭を消す機能を発揮する。【００１０】  カバー体５の中央には円形の開口１１が設けられ、この開口１１の部分に酸化加熱用バーナ１３が取り付けられている。酸化加熱用バーナ１３は、円形開口１５を備える環状構成で、表面に酸化触媒である白金が付設されたセラミック繊維の不織布よりなる。不織布の周囲上縁がカバー体５の開口１１の周囲下縁に貼り付けられることで取り付けられている。【００１１】  酸化加熱用バーナ１３用の不織布として上記のようセラミック繊維を用いることによって高い芳香性能を発揮する。従来この種の酸化加熱用バーナにおいては白金を付設する材料として一般にグラスファイバーが用いられ、そのグラスファイバーを固めるのに接着剤を要したもので、酸化加熱時にその燃焼臭が若干発生したが、セラミック繊維の不織布はそのような接着剤を全く使用することなく形成できることで接着剤の燃焼臭の発生は全くない。【００１２】  使用に際しては、ライター等を用い酸化加熱用バーナ１３の不織布部分を加熱し、この加熱により酸化触媒である白金の表面が活性されることで、金網枠体３の上面部の下方空間１７に溜まる芳香燃料片８から蒸気化した燃料オイルの酸化が開始され、以降はその酸化に伴う加熱の継続によりバーナ１３部分は高温に維持される。このバーナ１３を形成する不織布の開口１５部分上に、図２に示すように、線香等の固形香材３０を置くことで、固形香材３０は発火することなく高温下で蒸される状態となり、これにより含まれる芳香成分の気化が促進されて芳香が発生する。【００１３】  実験の結果、使用に際しバーナ１３部分は１５０〜２５０℃の高温となり、固形香材として線香を使用した場合には３０分程度の間殆ど煙が発生しない状態において芳香が得られた。とくに、この実施形態のものでは、燃料オイルとして上記したように植物抽出液を混入したものを用いたことでアルコールの酸化臭は殆ど発生せず、かつ、植物抽出液の芳香が混じったより良好な芳香が得られた。また、植物抽出液からの芳香がバーナ１３を透過せず開口１５を通して外部に放出されることでより良好な芳香が得られた。線香は使用後には灰になることなく炭に近いものとなり、形が崩れにくいこと���その除去が容易に行えた。【００１４】  燃料オイルは適宜の形態においてタンク部１０に納められればよいが、上記のような芳香燃料片８を図３に示すような袋体２０内に密封する形態としてとして提供するようにすれば、それを袋体２０内から取り出して芳香発生装置１に取り替え装着することで、燃料の面倒な補充作業が省略できて便利である。芳香燃料片８は一回毎に使い捨て使用される。
【図面の簡単な説明】
【図１】  この考案の芳香発生装置の実施形態の斜視図
【図２】  この考案の芳香発生装置の実施形態の断面図
【図３】  この考案の芳香発生装置において用いる芳香燃料片の提供時の実施形態の一部切欠き断面斜視図
【符号の説明】
１    芳香発生装置
１０    タンク部
１３    酸化加熱用バーナ
３０    固形香材
【図１】
0003123953.tif 000003
【図２】
0003123953.tif 000004
【図３】
0003123953.tif 000005
(57)【要約】【課題】従来のじょうごよりも、移し替えのスピードが格段に速く、手をじょうごに添えなくとも容易に移し替えができ、かつ、螺子山のピッチの異なるペットボトル等容器でも使用でき、更に、着脱が容易なじょうごを提供する。【選択手段】液体等の流出口４の断面積を、ペットボトル等容器の口内径の断面積の７０〜９０％とし空気の流出口８を設け、ペットボトル等容器の口の上端面と、じょうごと接触する箇所に、複数の突起６または凹部を形成することで、空気の流出口８を備え、液体流出口４を取り囲むように複数の爪５を出し、ペットボトル等容器の螺子山部７の外周に添わせた。【選択図】図４
0003123958.tif 000002
【実用新案登録請求の範囲】
【請求項１】
イ）液体等の流入口の断面積を、ペットボトル等容器の口内径の断面積の７０〜９０％とする。
ロ）空気の流出口を設ける。
以上の如く構成された、じょうご。
【請求項２】
ペットボトル等容器の口の上端面と、じょうごと接触する箇所に、突起または凹部を形成することで、空気の排出口を備えた請求項１記載のじょうご。
【請求項３】
液体流出口を取り囲むように複数の爪を出し、ペットボトル等容器の螺子山部の外周に添わすことで、着脱可能に固定される請求項１又は２記載のじょうご。
【考案の詳細な説明】
【考案の詳細な説明】
【技術分野】
【０００１】本考案は、ペットボトル等容器に対して着脱可能に固定されるじょうごに関する。
【背景技術】
【０００２】液体等を別容器に移し替えるとき一般的なじょうごを用いることが多い。【０００３】じょうごとして、登録実用新案第３０９０１９７号及び、特許公開２００４−５９１４３号には、じょうごとボトルの接合部に螺子山を設けたじょうごが記載されている。
【考案が解決しようとする課題】
【０００４】従来のじょうごは、容器に差し込むだけで不安定なため、手を添えないと、液体等を容易に移し替えられないという難点があった。
【０００５】また、移し替えるのに時間がかかり、重いやかんや一升瓶等を持って、注ぐのにも力の弱い子供や女性、お年寄りには重労働であった。
【０００６】じょうごとボトルの接合部に螺子山を設けたじょうごでは、螺子山のピッチが異なるペットボトル等容器に対し、それに合致したピッチのものを予め用意する必要があるという問題があった。
【０００７】仮に、螺子山のピッチが合致したとしても、着脱はその都度ねじる必要があり、使用者にとっては、面倒であった。
【０００８】本考案の目的は、従来のじょうごよりも、移し替えのスピードが格段に速く、手をじょうごに添えなくとも容易に移し替えができ、かつ、螺子山のピッチの異なるペットボトル等容器でも使用でき、更に、着脱が簡便なじょうごを提供することである。
【課題を解決するための手段及びその作用】
【０００９】本考案に係るじょうごは、液体等の流入口の断面積を、一般的なじょうごの流入口の断面積よりも大きくし、空気の排出口を設けることで、ペットボトル等容器内の空気が排出できるようにし、液体等流出口の周囲に複数個の爪を出し、ペットボトル等容器の螺子山部の外周に添わせたものである。
【００１０】じょうごの液体等の流入口の断面積を、一般的なじょうごの流入口の断面積よりも大きくすることで、単一時間による流入量の割合が増加した。
【００１１】空気の排出口を設けることで、ペットボトル等容器内の空気が排出できるようなり前記の項目と合わせて、流入速度が増すことで、移し替えに要する時間が短縮することができた。
【００１２】ペットボトル等容器とじょうごの固定方法を螺子式とせず、複数個の爪を出し、ペットボトル等容器の螺子山部の外周に添わせることで、螺子山のピッチに関係無く固定でき、かつ、ねじる必要が無く、着脱が簡便となった。
【考案を実施するための最良の形態】
【００１３】以下、本考案の実施の形態について図面を参照しながら説明する。
図１〜図４に示すようにじょうご１は、液体等流出口４の内径を一般的なじょうごより大きくし、液体等流出口４の周囲に複数個の爪５を出し、ペットボトル等容器２の螺子山部７の外周に添わせ、ペットボトル等容器内の空気が抜ける穴を設ける手段として、ペットボトル等容器２の口の上端面と、じょうごと接触する箇所に、単体または、複数の突起６を形成したものである。【００１４】もちろん、突起６のかわりに、凹部を形成し、ペットボトル等容器内の空気が排出できるようにしてもよい。【００１５】じょうごの液体等流入口４の断面積を、ペットボトル等容器２の口内径の断面積の７０〜９０％とした。
これは、液体等の流入量と、容器内にある空気の排出量から導き出された、最も効率よく移し替えができる割合である。
【考案の効果】
【００１６】本考案に係るじょうごによれば、液体等流入口４が大きく、空気排出口８がある為一般的なじょうごよりも格段に早く、移し替えができる。
【００１７】液体等流出口４の周囲に複数個の爪５を出し、ペットボトル等容器２の螺子山部７の外周に添わせることで、じょうごに手を添えなくとも、安定して容易に移し替えができるようになった。
【００１８】またペットボトル等容器２の螺子山７のピッチに関係無く使用でき、かつ、ねじる必要が無く、着脱が簡便となった。
【図面の簡単な説明】
【図１】  じょうごの底面図
【図２】  じょうごの正面図
【図３】  じょうごの平面図
【図４】  じょうごの斜視図
【図５】  使用前状態を示す参考図
【図６】  使用状態を示す参考図
【図７】  図６の断面図
【図８】  図２のＡ−Ａ’線断面図
【符号の説明】
１      じょうご          ２      ペットボトル等容器
３      注ぎ口            ４      液体等流出口
５      爪                ６      突起
７      螺子山            ８      空気排出口
９      リング
【図１】
0003123958.tif 000003
【図２】
0003123958.tif 000004
【図３】
0003123958.tif 000005
【図４】
0003123958.tif 000006
【図５】
0003123958.tif 000007
【図６】
0003123958.tif 000008
【図７】
0003123958.tif 000009
【図８】
0003123958.tif 000010
(57)【要約】      （修正有）【課題】新風味にして栄養価が高く健康食品として有効性を発揮する納豆と、該納豆の調味料とをセットにした商品形態を特徴とする納豆セットを提供する。【解決手段】蓋付き納豆容器本体と、該容器本体の内部に収容される大粒黒豆等により製した納豆と、該納豆の上部表面を覆う薄状シートと、該薄状シートと納豆容器本体の上蓋との容器空間に介在する小袋入り藻塩及び小袋入り抹茶とから成る納豆調味料とのセットによって商品形態を形成する納豆セット。【選択図】図１
0003123956.tif 000002
【実用新案登録請求の範囲】
【請求項１】
蓋付き納豆容器本体と、該容器本体の内部に収容される大粒黒豆等により製した納豆と、該納豆の上部表面を覆う薄状シートと、該薄状シートと納豆容器本体の上蓋との容器空間に介在する小袋入り藻塩及び小袋入り抹茶とから成る納豆調味料とのセットによって商品形態を形成することを特徴とする納豆セット。
【考案の詳細な説明】
【技術分野】
【０００１】  本考案は、納豆セットに関するものである。
【背景技術】
【０００２】  納豆を食するためには、醤油タレが用いられている。しかし、醤油タレの塩分が濃すぎたり、或いは醤油タレの添加量が多すぎると、納豆の風味を損ない、不味く感じる当の嫌いがあり、納豆を食することが敬遠される場合があった等。【０００３】  また、消費者の食趣向が多様化し、健康指向を望む昨今においては、健康・栄養価に富み、しかも新風味を醸出するような調味料付き納豆の工夫が求められている。
【考案の開示】
【考案が解決しようとする課題】
【０００４】  本考案は斯る従来の要請に着目して提案された納豆セットを得るもので、詳しくは本考案は、納豆本来の風味を損なうことがなく、新しい納豆の食べ方を楽しむことができ、そして、ミネラル、各種ビタミン、カテキン（タンニン）、カフェイン、アミノ酸、フッソ、植物繊維等を豊富に含む納豆の納豆セットを提供するものである。
【問題を解決するための手段】
【０００５】  以下、本考案に係る納豆セットの実施態様を図１の模式図に基づき説明する。
【０００６】  図面中、符号１は納豆用包装容器本体を示し、該容器本体１はカップ型、正四角型、丸型及び、その他の形状に形成される。
【０００７】  納豆２は、本考案においては、大粒の黒豆を使用する。
【０００８】  図面符号３は容器本体１内において、納豆２と、後記する納豆調味料４を区画する薄状シートを示している。
【０００９】  前記納豆調味料４は、小袋入り藻塩５と、小袋入り抹茶６と、により形成されている。
【００１０】  前記小袋入り藻塩５は周知のように、海藻（ホンダワラ等）に潮水を注ぎかけて塩分を注ぎかけて塩分を多く含ませ、これを焼いて水に溶かし、その上澄みを釜で煮つめて製した塩のことを指している。
【００１１】  前記小袋入り抹茶６は、例えば宇治茶の新芽を機械的手段等により挽き、粉末状に製したものを指す。
【００１２】  そして、納豆２を食するときは、容器本体１の上蓋（図示しない。）を開け、前記小袋入り藻塩５と前記小袋入り抹茶６を取出し、前記薄状シート３を取去し、容器本体内で納豆２を掻き混ぜ、これに、小袋入り抹茶６を好みに応じて振りかける。
【００１３】  前記小袋入り藻塩５は容器本体１とは別の受皿又は、容器本体１の上蓋（図示しない。）に移して置き、そして、この藻塩を箸又は、爪楊枝で摘み、前記納豆２の一粒一粒に付けて食するようにする。
【００１４】  然して、前記納豆２は、大粒の黒豆を原材料にして加工されているから、該黒豆に含まれるイソフラボン成分が美肌づくりと、骨粗しょう症の緩和、コレステロールの低減等を促す作用がある。また、該黒豆の種皮に含まれるポリフェノールの一種のアントシアニンが血液をさらさらにするから、肝機能を向上させ、血圧抑制効果等に役立つという作用がある。
【００１５】  前記小袋入り藻塩５は、ミネラルが豊富である故に、健康食品に適し、海藻（ホンダワラ等）特有の甘味を譲出する作用がある。
【００１６】  前記小袋入り抹茶６は各種ビタミン、カテキン（タンニン）等が豊富に含まれているので、美容と健康に稗益する作用がある。
【考案の効果】
【００１７】  本考案は、商品形態においては、蓋付き納豆容器本体と、該容器本体の内部に収容される大粒の黒豆使用納豆と、該納豆の上部表面を被覆する薄状シートと、該シートと、容器本体１の上蓋との空間に収容される小袋入り藻塩、及び、小袋入り抹茶（納豆用調味料）とのセットにより商品形態を形成する納豆セットである。そのため本考案にあっては、従来の醤油タレ付き納豆を食する場合に生じていた醤油タレの、かけ過ぎによる納豆風味の損ない、不味さ等を解消することができる。
【００１８】  また、納豆の調味料として、小袋入り藻塩及び、小袋入り抹茶を併用するため、納豆の栄養価が一段と向上し、健康食品としての納豆商品価値を更に高めることができ、更には、新風味の納豆を提供できる。
【００１９】  しかも、納豆の調味料となる小袋入り藻塩等と納豆が、薄状シートの介在によって区画されるから、納豆及び前記納豆調味料を、衛生的かつ整然とした形態に形成することができる。更には、納豆一粒毎に藻塩を付けて食することにより食べる楽しみが加わる等、実用上、有用な効果を発揮する。
【図面の簡単な説明】
【図１】  図１は、本考案に係わる納豆セットの模式図である。
【符号の説明】
１  納豆用容器本体
２  納豆
３  薄状シート
４  納豆調味料
５  小袋入り藻塩
６  小袋入り抹茶
【図１】
0003123956.tif 000003
(57)【要約】      （修正有）【課題】爪切りの際に爪の飛び散りを防止することを目的にしたもの。【解決手段】爪切りの刃の直近に飛び散り防止の板を付けた構成。【選択図】図１
0003123945.tif 000002
【実用新案登録請求の範囲】
【請求項１】
爪切りの刃の直近に飛び散りを防止する板を付けた爪切り。
【考案の詳細な説明】
【考案の詳細な説明】
【産業上の利用分野】
【０００１】爪を切るときに切った爪が飛び散らずに容易に処理できる。
衛生的に爪が切れる。
【背景技術】
【０００２】従来品は爪の飛び散り対策がしてないか、してあっても爪切り全体の外側を覆うものであり扱いにくかった。
【考案が解決しようとする課題点】
【０００３】本考案は、極めて簡単な方法で爪の飛び散りを解決した。
【課題を解決するための手段】
【０００４】爪切りの刃の直近に飛び散り防止の板を付けた。
【作用】
【０００５】爪が切断された瞬間に飛び散り防止の板と爪きりの刃で囲まれた小さい空間に爪が確保される。
【考案の効果】
【０００６】以上の作用で簡単に爪の飛び散りが解決できる。
【図面の簡単な説明】
【図１】  側面図
【図２】  側面図のＡ−Ａ′断面図
【図３】  飛び散り防止の板背面図
【符号の説明】
１は本体
２は飛び散り防止の板
【図１】
0003123945.tif 000003
【図２】
0003123945.tif 000004
【図３】
0003123945.tif 000005
(57)【要約】【課題】尿瓶の蓋体を尿器本体に容易に着脱可能にするとともに蓋体と尿瓶本体の繁止を機密にさせた尿瓶を提供するものである。【解決手段】尿瓶の蓋体の内周に凸起片を設けるとともに、尿瓶器口にガイド溝を設けることにより蓋体の凸起片をガイド溝に篏入させて摺動回転させて着脱する尿瓶。【選択図】図１
0003123948.tif 000002
【実用新案登録請求の範囲】
【請求項１】
尿瓶の器口外周部に器口から左右対向させて逆Ｌ字型のガイド溝を斜め下方に向けて設け、その終端部に凸起片の係止収納部を設けるとともに蓋部の内周部にも左右対向させた凸起片を設けることにより蓋部の凸起片をガイド溝に篏合せることにより着脱する尿瓶。
【考案の詳細な説明】
【技術分野】
【０００１】  この考案は、尿瓶の蓋を容易に着脱自在にしたことに関する。
【技術背景】
【０００２】  従来の尿瓶の器口を被覆する方法としては器口に螺旋を設け蓋をするもの、また器口に軟質素材で成形したキャップで覆うもの、また器口の内周部にじょうごを挿入する方法が開示されている。（実公昭５９−３４３９７、実公昭４３−１８３９９）
【考案が解決しようとする課題】
【０００３】  一方、夜頻繁に尿意を催す人、或いは老人、病人等にとっては尿意を催したときは素早く排尿できる尿瓶が要求される。しかし従来の尿瓶は取扱が意外に複雑であることが解った。着脱が繁雑のため蓋が完全に密封されずに起こる尿の漏れなどによる汚れの後始末が必要であった。
【問題を解決するための手段】
【０００４】  この考案は上記実情に鑑み、尿瓶の蓋体を尿器本体に容易に着脱可能にするとともに蓋体と尿瓶の本体の繁止を機密にさせた尿瓶を提供するものである。
【０００５】  即ち、この考案は尿瓶の器口外周部に外周縁に沿って蓋受部を形成し、この蓋受部には機密性を得るための手段として復帰力を有する肉厚のゴムパッキンが装着される。
【０００６】  さらに器口外周部には器口から左右対向させて逆Ｌ字型にガイド溝が斜め下方に向けて設けられている。その終端部には凸起片が係止出来るようにガイド溝を少し立ち上げらせて収納部を形成してある。
【０００７】  尚、ガイド溝の入口部は蓋の内周部に設けた凸起片が容易に篏合できるよう広めに形成してある。
【０００８】  また、蓋の内周には器口のガイド溝に合わせて対向に凸起片が左右に設けられている。この凸起片はガイド溝を移動し易くするため、全体の角を丸めに形成してある。
【考案の効果】
【０００９】  以上要するに、この考案によれば蓋を装着するときは器口に合せて摺動回転させれば、蓋の凸起片は簡単にガイド溝に篏入され、さらに軽く押圧しながら回転させ終端部で手を離なすと肉厚ゴムパッキンが押圧から開放され、パッキンの復帰力により、左右の凸起片が終端部の係止溝に篏合されるとともに蓋体と本体が機密に繁止される。
【００１０】  また蓋を開ける時は軽く押圧しながら反対方向に回転させれば容易に開けることができる。
【産業上の利用可能性】
【００１１】  以上、要するに尿意を催した時、この尿瓶は誰でも簡単に取扱が用意に出来る。
【図面の簡単な説明】
【００１２】
【図１】  この考案に係わる尿瓶の蓋を装着した状態の斜視図
【図２】  同上の実施において器口部に設けたガイド溝、パッキンの装着、蓋部内周に設けた凸起片の設置状態の斜視図
【図３】  同上の実施において器口部に蓋部を装着する状態の斜視図
【符号の説明】
【００１３】１は尿瓶本体
２は器口部に形成したガイド溝
３はガイド溝の終端部に形成した係止溝
４は器口外周縁に設けた蓋受部
５は蓋受部止に装着するゴムパッキン
６は蓋部の内周に対向させて設ける凸起片
【図１】
0003123948.tif 000003
【図２】
0003123948.tif 000004
【図３】
0003123948.tif 000005